(57)【要約】      （修正有）【課題】使用上、安全で、運動強度を調整可能な腹部体操用具構造を提供する。【解決手段】体操用具主体と、上記体操用具主体に結合した柔軟パッド１０とからなる腹部体操用具であって、ユーザーが、柔軟パッドに膝をつくことにより、体操用具全体が固定され、上半身の肢体が、前方へ延伸することにより、体操用具主体を利用して、腹部と臀部を訓練できる。また、上記体操用具主体は、底座２０と上蓋３０、弾性部材４０及び摺動セット５０から構成される。【選択図】図１
0003162424.tif 000002
【実用新案登録請求の範囲】
【請求項１】
体操用具主体と、柔軟パッドとからなる腹部体操用具構造であって、
前記体操用具主体は、平台があり、平台の上面両側が、二つの上方へ向かう直立ブロック壁によって区画され、また、それぞれ、摺動溝が形成され、二つの摺動溝の間が、退避空間になり、退避空間の裏側に、第一巻き棒が枢着される底座と、前記底座に合わせて、内部部品を封止するため、前記底座の上方をカバーし、底面に、前記の底座のブロック壁と摺動溝に対応して、ブロック壁と摺動溝が設けられ、両側に、それぞれ、開口される上蓋と、外周に第二巻き棒が枢着される軸棒があり、第二巻き棒から伸び出した両側に、順に、ローラと握り部が枢着され、前記第二巻き棒とローラ及び握り部が、隔離して設置される摺動セットとを有し、
前記柔軟パッドは、前記体操用具主体に合わせて設置され、緩衝及び衝撃吸収性を有し、折畳まれることができる
ことを特徴とする腹部体操用具構造。
【請求項２】
底座が、直接に、柔軟パッドの前方上面に結合されることを特徴とする請求項１に記載の腹部体操用具構造。
【請求項３】
底座と柔軟パッドが、隔離して設置されて、その両側の間において、連接部品により、連結され、前記連接部品が、広幅板状の編組紐からなり、長さ調整可能であることを特徴とする請求項１に記載の腹部体操用具構造。
【請求項４】
底座の摺動溝内において、摺動の前後最大ストローク位置に、それぞれ、ストッパーが設置され、上記ストッパーにおいて、平行の摺動溝において、内側に、軸方向に緩衝パッドが結合されることを特徴とする請求項１に記載の腹部体操用具構造。
【請求項５】
平台底面前後において、両側へ伸びる底部支持ブロックが設置されて、体操用具主体が柔軟パッドから隔離されることを特徴とする請求項１に記載の腹部体操用具構造。
【請求項６】
弾性部材のもう一端が、下方から上方へ第一巻き棒及び第二巻き棒を回ってから、第一巻き棒及び第二巻き棒の下方を通り、平台の相対位置に固定されることを特徴とする請求項１に記載の腹部体操用具構造。
【請求項７】
底座の平台において、第一巻き棒の前方に、隔離した複数のＵ形状の隆起が形成され、弾性部材が開くように隆起して係止され、その緊張度が変化された後、第一巻き棒及び第二巻き棒に回され、隆起位置が異なることにより、上蓋の快速開放に合わせて、訓練強度が調整されることを特徴とする請求項１に記載の腹部体操用具構造。
【請求項８】
弾性部材の、弾性部材に内蔵された玉からなる拡大部によって係止されることを特徴とする請求項７に記載の腹部体操用具構造。
【請求項９】
弾性部材上の、弾性部材に直接に形成された結び目からなる拡大部によって係止されることを特徴とする請求項７に記載の腹部体操用具構造。
【請求項１０】
底座の平台において、第一巻き棒の前方に、隔離した複数のＵ形状の隆起が形成され、弾性部材が、開くように隆起して係止され、その緊張度が変化された後、第一巻き棒及び第二巻き棒に回され、隆起位置が異なることにより、上蓋の快速開放に合わせて、訓練強度が調整されることを特徴とする請求項１に記載の腹部体操用具構造。
【考案の詳細な説明】
【技術分野】
【０００１】
本考案は、腹部体操用具構造に関し、さらに詳しくは、使用上、安全性に優れ、運動強度の調整可能な押し引き式腹部体操用具に関する。
【背景技術】
【０００２】
図１２は、従来の腹部体操用具であり、主として、二つの円形状棒６１を上下に並列してなる案内フレーム主体６０からなるものである。二つの円形状棒６１の両端に、それぞれ、パッドブロック６２及び一体プラッグ体６３によって支持されて、二つの円形状棒６１の間に、適当な隙間が維持され、上記隙間に、摺動部材７０が設置される。上記摺動部材７０の内部に、二つの滑車７１が実装され、二つの滑車７１の円弧凹部に、二つの円形状棒６１が係合される。二つの円形状棒６１により、摺動部材７０が、安定的に制限され、摺動部材７０に、更に、握り部７３が挿設されるための軸棒７２が貫設される。また、下円形状棒６１の両端に、それぞれ、柔軟パッド板６４と支持棒６５が組立てられ、パッドブロック６２と摺動部材７０との間に、弾性部材６６が実装される。これにより、図１３に示すように運動する時、ユーザーは、柔軟パッド板６４に膝をついて、両手で、摺動部材７０の両側にある握り部７３を握って、動作を行い、摺動部材７０が、二つの円形状棒６１によって案内されて、前後に安定的に摺動し、また、弾性部材６６の弾性により、臀部や腹部の運動をすることができる。
【０００３】
しかしながら、前記の従来の腹部体操用具の構造には、次の問題点が残されている。
１．各部の部品が、直接に外部に露出して、遮蔽がないため、摺動操作の時、肢体外傷を受けるおそれがあり、また、弾性部材６６が引き戻される時、直接に人体に当たるおそれがあるため、従来の構造は、使用上の安全性に問題があった。
２．各部の部品が、直接に外部に露出して、遮蔽がないため、空気中の埃や異物が、容易に侵入して、滑車７１の円弧凹部に滞留し、上記現象により、滑車７１の転動が鈍くなり、また、摩耗が激しい。
３．円形状棒６１のストロークが長くて、折畳むことや取り外すことができないため、保管する時、膨大な空間を必要とする。
４．弾性部材６６の弾力が、調整できないので、異なる強度で訓練する時、弾性部材６６全体を取り替えなければならないため、不便であるだけでなく、コストが高くなる。
５．使用する場合、両脚が、それぞれ、円形状棒６１の両側に位置して、膝で地面につくようにして利用するので、円形状棒６１が操作全体の範囲を含み、また、直接に上方へ隆起するため、前後に往復して摺動する時、ユーザーが力の使用の仕方が不適当である場合や操作の技術が慣れていない場合、両手が滑って、身体が直接に円形状棒６１に接触する恐れがある。
【考案の開示】
【考案が解決しようとする課題】
【０００４】
従って、本考案の課題は、前記の如き従来の運動器具に包蔵されている問題点を解消し、腹部、腰部及び臀部の鍛錬を安全に行なうことが可能な構造を有する腹部体操用具を提供することにある。
【課題を解決するための手段】
【０００５】
そこで、本考案者は、前記課題の解決のために鋭意検討を重ねた結果、所定の往復動が可能な手段において設定された弾性部材の弾性力に抗して、上半身の肢体を前方へ一定の間隔で押す運動を繰り返す「押し引き」運動を行なう腹部体操用具を提供することにより、前記課題を解決できることに着目し、本考案に想到した。
【０００６】
すなわち、本考案の主な目的は、各部の部品が、底座と上蓋との間に設置されて、外部空間から隔離されるため、操作する時、肢体が、部品によって外傷を受けることを防止でき、また、弾性部材が引き戻されることなく、そのため、使用上、より安全な上半身の肢体の前方への押し運動を繰り返す押し引き式腹部体操用具構造を提供することにある。
【０００７】
本考案の他の目的は、各部の部品が、底座と上蓋との間に設置されて、外部空間から隔離されるため、空気中の埃や異物が侵入して、ローラと摺動溝に滞留することを防止でき、そのため、ローラが、スムーズに摺動でき、摩耗を最小に抑制することが可能な腹部体操用具構造を提供することにある。
【０００８】
本考案の更に他の目的は、体操用具主体が、前方位置だけをカバーし、また、柔軟パッドを折畳むことができ、体積が縮小され、そのため、保管や運搬及び展示に、膨大な空間を必要としない腹部体操用具構造を提供することにある。
【０００９】
本考案の更に他の目的は、上蓋を開放すると、弾性部材を交換せず、素早く弾性部材の弾力を調整でき、使用コストを低減するだけでなく、操作利便性の向上が可能な腹部体操用具構造を提供することにある。
【００１０】
本考案の更に他の目的は、体操用具主体が、前方位置だけをカバーするため、運動過程において、ユーザーが、両手で摺動セットから伸び出した二つの握り部を握って作動する時、二つのローラで、底座の両側の摺動溝に沿って平行に作動するため、操作上、極めて良好な安定性が得られ、また、ユーザーが外傷を受けることを防止できる腹部体操用具構造を提供することにある。
【００１１】
本考案によれば、弾性部材の弾性力に抗して、上半身の肢体を前方へ押す運動を繰り返すことにより腹部等を鍛錬する押し引き式腹部体操用具を提供するものであり、いわゆる「押し引き」運動、一種のピストン運動を行なうものである。弾性部材として、縄のほか、ひも、ロープ等が用いられる。
【００１２】
かくして、本考案によれば、
請求項１において、体操用具主体と、柔軟パッドとからなる腹部体操用具構造であって、前記体操用具主体は、平台があり、平台の上面両側が、二つの上方へ向かう直立ブロック壁によって区画され、また、それぞれ、摺動溝が形成され、二つの摺動溝の間が、退避空間になり、退避空間の裏側に、第一巻き棒が枢着される底座と、前記底座に合わせて、内部部品を封止するため、前記底座の上方をカバーし、底面に、前記の底座のブロック壁と摺動溝に対応して、ブロック壁と摺動溝が設けられ、両側に、それぞれ、開口される上蓋と、外周に第二巻き棒が枢着される軸棒があり、第二巻き棒から伸び出した両側に、順に、ローラと握り部が枢着され、前記第二巻き棒とローラ及び握り部が、隔離して設置される摺動セットとを有し、前記柔軟パッドは、前記体操用具主体に合わせて設置され、緩衝及び衝撃吸収性を有し、折畳まれることができることを特徴とする腹部体操用具構造が提供される。
【００１３】
請求項２の考案によれば、底座が、直接に、柔軟パッドの前方上面に結合されることを特徴とする請求項１に記載の腹部体操用具構造が提供される。
【００１４】
請求項３の考案によれば、底座と柔軟パッドが、隔離して設置されて、その両側の間において、連接部品により、連結され、前記連接部品が、広幅板状の編組紐からなり、長さ調整可能であることを特徴とする請求項１に記載の腹部体操用具構造が提供される。
【００１５】
請求項４の考案によれば、底座の摺動溝内において、摺動の前後最大ストローク位置に、それぞれ、ストッパーが設置され、上記ストッパーにおいて、平行の摺動溝において、内側に、軸方向に緩衝パッドが結合されることを特徴とする請求項１に記載の腹部体操用具構造が提供される。
【００１６】
請求項５の考案によれば、平台底面前後において、両側へ伸びる底部支持ブロックが設置されて、体操用具主体が柔軟パッドから隔離されることを特徴とする請求項１に記載の腹部体操用具構造が提供される。
【００１７】
請求項６の考案によれば、弾性部材のもう一端が、下方から上方へ第一巻き棒及び第二巻き棒を回ってから、第一巻き棒及び第二巻き棒の下方を通り、平台の相対位置に固定されることを特徴とする請求項１に記載の腹部体操用具構造が提供される。
【００１８】
請求項７の考案によれば、底座の平台において、第一巻き棒の前方に、隔離した複数のＵ形状の隆起が形成され、弾性部材が開くように隆起して係止され、その緊張度が変化された後、第一巻き棒及び第二巻き棒に回され、隆起位置が異なることにより、上蓋の快速開放に合わせて、訓練強度が調整されることを特徴とする請求項１に記載の腹部体操用具構造が提供される。
【００１９】
請求項８の考案によれば、弾性部材の、弾性部材に内蔵された玉からなる拡大部によって係止されることを特徴とする請求項７に記載の腹部体操用具構造が提供される。
【００２０】
請求項９の考案によれば、弾性部材上の、弾性部材に直接に形成された結び目からなる拡大部によって係止されることを特徴とする請求項７に記載の腹部体操用具構造が提供される。
【００２１】
請求項１０の考案によれば、底座の平台において、第一巻き棒の前方に、隔離した複数のＵ形状の隆起が形成され、弾性部材が、開くように隆起して係止され、その緊張度が変化された後、第一巻き棒及び第二巻き棒に回され、隆起位置が異なることにより、上蓋の快速開放に合わせて、訓練強度が調整されることを特徴とする請求項１に記載の腹部体操用具構造が提供される。
【考案を実施するための最良の形態】
【００２２】
以下、図面を参照しながら、本考案の特徴や技術内容について、具体的に説明する。もっとも、それらの図面等は、参考や説明のためであり、本考案は、それらによって限定されるものではない。
【００２３】
図１と図２は、本考案に係る腹部体操用具を示したものであり、体操用具主体に合わせて、柔軟パッド１０が配置される。これにより、ユーザーは、柔軟パッド１０に膝をついて、体操用具全体が固定され、上半身の肢体を前方へ伸ばすことにより、体操用具主体により、腹部と臀部を訓練できる。また、上記体操用具主体には、底座２０と上蓋３０、弾性部材４０及び摺動セット５０が含まれ、柔軟パッド１０は、緩衝や衝撃吸収性の効果を有し、折り畳むことができ、全体の体積を低減させることができる。底座２０には、平台２１があり、平台２１は、その上面の両側において、二つの上方へ向かう直立ブロック壁２２によって区画される。また、それぞれ、摺動溝２３が形成され、二つの摺動溝２３の間が、退避空間２４になり、摺動溝２３において、摺動の前後の最大ストローク位置に、それぞれ、ストッパー２５が設置される。上記ストッパー２５において、平行の摺動溝２３において、内側に、軸方向に緩衝パッドが結合され、ストッパー２５と緩衝パッドにより、操作する時の行き止めや衝撃吸収性及び消音効果が実現される。また、退避空間２４の裏側に、第一巻き棒２６が枢着され、平台２１の底面において、前後に、両側へ伸びる底部支持ブロック２７が設置されて、体操用具主体が柔軟パッドから隔離され、また、上記底座２０が、直接に柔軟パッド１０の前方の上面に結合されてもよい。上蓋３０は、底座２０に合わせて、底座２０の上方に嵌設されて、内部に部品が封止され、上記上蓋３０の底面において、底座２０ブロック壁２２と摺動溝２３に対応する位置に、同じように、ブロック壁３１と摺動溝３２が形成される、両側に、開口３３が形成される。前後端が、下方へ湾曲され、封止シート３４が形成され、弾性部材４０が、弾性編組紐やゴム弾性部材からなる。摺動セット５０は、軸棒５１を有し、軸棒５１の外周において、軸承５２に、第二巻き棒５３が枢着され、第二巻き棒５３の外周において、中間に、凹み状の位置制限部５４があり、第二巻き棒５３から伸び出した軸棒５１の両側に、順にローラ５５と握り部５６が枢着され、上記第二巻き棒５３とローラ５５及び握り部５６は、間隔をあけて設置されているので、組立てる際には、ブロック壁２２、３１に干渉しないように構成されている。
【００２４】
本考案によれば、図１及び図３乃至図５のように、摺動セット５０は、ローラ５５で、摺動溝２３に係合し、退避空間２４に第二巻き棒５３が設置され、握り部５６が、底座２０両側へ伸びだし、摺動セット５０が、摺動溝２３によって、制限されて、底座２０上において、前後に摺動可能であり、弾性部材４０の一端が、底座２０の平台２１の所定位置に固定され、もう一端が、下方から上方へ第一巻き棒２６と第二巻き棒５３の位置制限部５４を回ってから、更に、第一巻き棒及び第二巻き棒２６、５３の下方を通して、平台２１の相対位置に固定され、最後に、上蓋３０を、底座２０の上方に嵌設して、内部の各部品を封止する。開口３３を設置することにより、握り部５６が、外部へ突出することができ、これにより、組み立てが完成する。
【００２５】
本考案によれば、ユーザーが、柔軟パッド１０に膝をついて、膝で下方へ向かう圧力により、体操用具全体が固定され、両手で、摺動セット５０から伸び出した二つの握り部５６を握って、二つの握り部５６を介して、摺動セット５０を利用して、押し引き動作を行い（図６のように、摺動セット５０が前へ押される時、ユーザーが、弾性部材４０の弾力を抵抗しなければならないため（図７と図８のように）、腹部と腰部を訓練することができる。また、摺動セット５０を引き戻す時、ユーザーが、臀部を挙げなければならなく、上記体操用具により、有効に、腹部や腰部及び臀部について、訓練でき、下半身の曲線を調整することができる。また、ローラ５５と弾性部材４０等の部品が、ともに、底座２０と上蓋３０との間に封止されて、外部空間から隔離されるため、操作する時、部品により、肢体が外傷を受けることを防止でき、また、弾性部材４０が、引き戻ることにより、身体に弾まれて外傷を受けるおそれを解消した。
【００２６】
また、図９と図１０のように、底座２０の平台２１において、第一巻き棒２６の前方に、隔離した複数のＵ形状の隆起２８が形成され、弾性部材４０が、延びると、隆起２８に係止されて固定される。その緊張度が感化された後、第一、二巻き棒２６、５３に回され、隆起２８位置が異なることにより、上蓋３０の快速開放に合わせて、訓練強度が調整され、上記の係止して固定することは、弾性部材４０に内蔵された玉からなる拡大部４１を利用するか、直接に、弾性部材４０に形成された結び目を利用する。
【００２７】
また、図１１に示すように、その底座２０と柔軟パッド１０とは、隔離して設置され、連接部品１１を利用して、その両側において、連結されて、底座２０と柔軟パッド１０とを一体にすることができ、これにより、ユーザーが膝をつく時、柔軟パッド１０を利用して、体操用具主体を固定でき、上記連接部品１１は、長さを調整できる広幅板状の編組紐であり、ユーザーの身長に合わせて、調整でき、これにより、腹部体操用具のカビー範囲が変更される。
【００２８】
上記の具体的な実施形態によれば、次の利点を得ることができる。
１．各部品が、底座２０と上蓋３０との間に閉じ込まれて、外部空間と隔離されるため、操作する時、各部品により、肢体が外傷を受けることを防止でき、また、弾性部材４０が弾むことにより、身体に外傷を受けるおそれを無くし、使用安全性が向上する。
２．各部品が、底座２０と蓋３０との間に閉じ込まれて、空気中の埃や異物が、侵入して、ローラ５５と摺動溝２３、３２との間に滞在することを防止でき、これにより、ローラ５５が、スムーズに摺動でき、摩耗を抑制することができる。
３．体操用具主体が、前方位置だけをカバーし、柔軟パッド１０が、折畳まれることができるため、体積が縮小され、保管や運搬及び展示に、より小さい空間でもよい。
４．上蓋３０を開放するだけで、弾性部材４０を交換せず、素早く弾性部材４０弾力を調整でき、使用コストを低減でき、操作もより簡単になる。
５．体操用具主体が、前方位置だけをカバーするため、押し引きの運動過程において、ユーザーが、両手で摺動セット５０から伸びた二つの握り部５６を握って、底座２０を利用して、押し引き運動をする時、二つのローラ５５が、底座２０両側にある摺動溝２３に沿って平行に作動し、操作する時、極めて良い安定性が得られ、側方向へ傾くことなく、安全性がより向上する。
【００２９】
以上は、本考案の好適な実施形態であり、本考案は、それらによって限定されるものではなく、本考案に係わる考案登録請求の範囲や明細書の内容に基づいて行った均等の変更や修正は、全てが、本考案の範囲内に含まれる。
【図面の簡単な説明】
【００３０】
【図１】本考案の一実施形態による腹部体操用具の斜視図である。
【図２】本考案の一実施形態による腹部体操用具の分解斜視図である。
【図３】本考案の一実施形態による腹部体操用具の断面図である。
【図４】本考案の一実施形態による腹部体操用具の他の角度からの断面図である。
【図５】本考案の一実施形態による腹部体操用具の平面図である。
【図６】本考案の一実施形態による腹部体操用具を使用する時の動作図である。
【図７】本考案の一実施形態による腹部体操用具を使用する場合の前方へ押す時の状態図である。
【図８】本考案の一実施形態による腹部体操用具を使用する時の前方へ押して弾性部材の弾力に抵抗する場合の状態図である。
【図９】本考案の一実施形態による腹部体操用具の斜視図と局部拡大図である。
【図１０】本考案の他の実施形態による腹部体操用具の調整状態図である。
【図１１】本考案の更に他の実施形態による腹部体操用具の斜視図である。
【図１２】従来構造の腹部体操用具の斜視図である。
【図１３】従来構造の腹部体操用具の使用状態図である。
【符号の説明】
【００３１】
１０  柔軟パッド
１１  連接部品
２０  底座
２１  平台
２２  ブロック壁
２３  摺動溝
２４  退避空間
２５  ストッパー
２６  第一巻き棒
２７  底部支持ブロック
２８  隆起
３０  上蓋
３１  ブロック壁
３２  摺動溝
３３  開口
３４  封止シート
４０  弾性部材
４１  拡大部
５０  摺動セット
５１  軸棒
５２  軸承
５３  第二巻き棒
５４  位置制限部
５５  ローラ
５６  握り部
従来
６０  案内フレーム
６１  円形状棒
６２  パッドブロック
６３  プラッグ
６４  柔軟パッド板
６５  支持棒
６６  弾性部材
７０  摺動部材
７１  滑車
７２  軸棒
７３  握り部
【図１】
0003162424.tif 000003
【図２】
0003162424.tif 000004
【図３】
0003162424.tif 000005
【図４】
0003162424.tif 000006
【図５】
0003162424.tif 000007
【図６】
0003162424.tif 000008
【図７】
0003162424.tif 000009
【図８】
0003162424.tif 000010
【図９】
0003162424.tif 000011
【図１０】
0003162424.tif 000012
【図１１】
0003162424.tif 000013
【図１２】
0003162424.tif 000014
【図１３】
0003162424.tif 000015